(57)【特許請求の範囲】
【請求項１】
画像を表示する表示部と、
画像が記録されているメモリーカードからデータを読み出すカードリーダー部と、
該メモリーカードから画像データを読出し、前記表示部に表示させるために信号を処理する信号処理部と、
前記信号処理部により処理された画像データに対応する画面を前記表示部に単体で表示させる単体表示処理又は前記信号処理部により処理された所定枚数の画像データに対応する画面を前記表示部に同時に一覧表示させる一覧表示処理により前記画像データを前記表示部に表示させる表示制御部と、
前記表示制御部による一覧表示処理において前記表示部に表示している全ての所定枚数の画像データに対応する画面を一定時間ごとに更新して前記表示している画像データとは異なる所定枚数の画像データに対応する画面を前記表示部に順次一覧表示させる制御部と
を具備することを特徴とする写真閲覧機。
【請求項２】
請求項１に記載の写真閲覧機はさらに、
前記表示制御部による前記表示処理を切換える切り替えを指示する切り替え信号を生成するための切り替えスイッチを具備し、
前記制御部は、前記表示制御部による前記単体表示処理又は一覧表示処理において前記表示部に表示する画像データに対応する画面を一定時間ごとに更新して前記表示部に単体又は複数の画像データに対応する画面を順次表示させ、該順次表示を行なっている際に前記切り替えスイッチの操作入力に応じた切り替え信号を検出すると、単体表示処理と一覧表示処理とを切り替えた後に前記単体表示処理又は一覧表示処理での前記順次表示を継続するよう制御すること
を具備することを特徴とする写真閲覧機。
【請求項３】
請求項１に記載の写真閲覧機はさらに、
リモートコントローラーが出力された、前記表示制御部による前記表示処理を切換えるための切り替え信号を検出する信号検出部を具備し、
前記制御部は、前記表示制御部による前記単体表示処理又は一覧表示処理において前記表示部に表示する画像データに対応する画面を一定時間ごとに更新して前記表示部に単体又は複数の画像データに対応する画面を順次表示させ、該順次表示を行なっている際に前記信号検出部が切り替え信号を検出すると、単体表示処理と一覧表示処理とを切り替えた後に前記単体表示処理又は一覧表示処理での前記順次表示を継続するよう制御すること
を特徴とする写真閲覧機。
【請求項４】
請求項２又は３に記載の写真閲覧機において、
前記制御部はさらに、前記表示制御部による画像データの表示が前記単体表示処理に設定されている際に、前記切り替え信号を受信すると、前記一覧表示処理により複数の画像データ前記表示部に表示するよう切り替え、前記一覧表示処理にて画像データに対応する画面を前記表示部に表示している際に、前記切り替え信号を検出すると、前記単体表示処理により前記表示部に画像データを表示するよう切り替えることを特徴とする写真閲覧機。
【請求項５】
請求項２乃至４に記載の写真閲覧装置において、
前記制御部は、前記一覧表示処理にて画像データに対応する画面を前記表示部に表示している際に、前記切り替え信号を検出すると、前記一覧表示処理により表示されている複数の画像データに対応する画面のうち、前記表示部の左上に表示されている画像データに対応する画面を前記表示部に単体表示する前記単体表示処理に切り替えることを特徴とする写真閲覧機。
【発明の詳細な説明】
【０００１】
【発明の属する技術分野】
本発明は、画像データを表示する携帯型写真閲覧機に関するものである。
【０００２】
【従来の技術】
従来、静止画像を撮影する方法としては、銀塩フィルムを使用する方法以外に、デジタルカメラ等を使用して被写体を撮影し、コンパクトフラッシュやスマートメディア等の記録媒体にデジタルデータを記録している。この様にして記録された画像データはカメラの背面に備わっている液晶モニタで再生したり、パソコンに前記デジタルデータを取り込んだ後モニタで再生している。
【０００３】
【発明が解決しようとする課題】
上述の如き従来の技術においては、カメラに備わっているモニタでは形状が小さすぎて再生画面を鑑賞するには不十分であり、一方パソコンで鑑賞するには手順が煩雑で、かつ再生画を屋外等で鑑賞することは困難であった。
本発明はこのような従来の問題点に鑑みてなされたもので、撮影された写真データを誰でも簡単に再生し、かつ、鑑賞するに十分な大きさの再生画像が得られるモニタを備えた、携帯型写真閲覧機を提供することを目的とする。
【０００４】
【課題を解決するための手段】
上記課題の解決のために、請求項１の発明は、画像を表示する表示部と、画像が記録されているメモリーカードからデータを読み出すカードリーダー部と、該メモリーカードから画像データを読出し、前記表示部に表示させるために信号を処理する信号処理部と、前記信号処理部により処理された画像データを前記表示部に単体で表示させる単体表示処理又は前記信号処理部により処理された複数の画像データに対応する画面を前記表示部に同時に一覧表示させる一覧表示処理により前記画像データを前記表示部に表示させる表示制御部と、前記表示制御部による一覧表示処理において前記表示部に表示する複数の画像データを一定時間ごとに更新して前記表示している画像データとは異なる所定枚数の画像データに対応する画面を前記表示部に順次一覧表示させる制御部とを具備することを特徴とする。
【００２８】
【発明の実施の形態】
図１に本発明によるひとつの実施形態である電子写真立ての実施例を示す。図１において、１は本発明による電子写真立てであって、２はメモリカードに記録されている画像等のデータを表示する表示部で、これには薄型の形状が得られる、ＬＣＤ（液晶）表示素子あるいはプラズマディスプレイパネル等が適している。３はコンパクトフラッシュカード、スマートメディアカード、マルチメディアカード等のメモリカードからデータを読み出すカードリーダ部、４は本電子写真立てに必要な電源を供給する電源部、５はメモリカードからカードリーダ部３を経てデータを読み出し、伸張、Ｄ／Ａ変換及び表示に適した処理を施す信号処理回路が乗っている基板部である。このように本発明においては必要最小限の構成部品のみ使用し、更に厚さも表示部２とカードリーダ部３を重ねただけの非常に薄くコンパクトな構成となっている。
【００２９】
また、図２は本電子写真立てを鑑賞するときの実際の使用状態を示している。以降の図面中で同一部分には同一の番号がつけてある。図からもわかるように、本発明においては、カードリーダ部にメモリカードの一部のみ挿入した状態でメモリカード６からデータがカードリーダ部を介して基板部に転送されるよう構成されていて、電子写真立て１本体を更に小型化している。
【００３０】
また、図１の内部配置図からもわかるように、他の部分に比較して圧倒的に重量のある電源部４が一番下に配置されているので立てた状態で鑑賞しても非常に安定がよい。
また、図２において、２１は電源釦、２２は表示画面の変更用釦である。
図３及び図４は本発明による他の実施例である。両図ともに第１図の配置図とは異なり、表示部２、カードリーダ部３、基板部５あるいは表示部２、基板部５、カードリーダ部３の順にそれぞれ重ねられた  状態で筐体に収納されている。
【００３１】
この場合図１の発明よりは基板部５の分だけ厚くなっているがこの増加分はごくわずかであって、図１と同様に、薄型でコンパクトな構成であることには相違ない。更にこの両図ともに、カードリーダ部３の大きさをカードが全て収納されるほどの大きさにすることができる。その際、カードが全てカードリーダ部に収納された場合に、両発明とも切り欠き部３１、４１が設けてあり、使用者が指でカードをカードリーダ部から引き抜くことができる。それ故、カードを引き出すためのイジェクタ等が不必要となり、構造も単純で、図１と同様小型化が可能となっている。
【００３２】
次に図５及び図６を用いて他の実施例について説明を行う。図５において、５１は画像データ等を表示する表示本体部、５２は表示本体部５１に外部から電源を供給する外部電源部でこれは図示したようにやや大型のバッテリであっても良いし、不図示のＡＣケーブルにより外部ＡＣ電源と接続されていても良い。５３は表示本体部５１にある外部ＤＣ入力端子と外部電源部５２にあるＤＣ出力端子とを接続する接続ケーブルである。この構成により、小型軽量に構成された表示本体部５１のみを離れた外部電源部５２とは離れた場所、例えば壁に掛けたり、スペースが十分広くはとれない場所等に設置することができる。
【００３３】
一方、図６の実施形態の場合には、接続ケーブル５３を使用することなく、表示本体部５１を直接外部電源部５２に嵌合させることにより、表示本体部５１を立てた状態で使用しようというものである。
この様に接続ケーブル５３を使用しなくても良いように、表示本体部５１と外部電源部５２の嵌合部にはそれぞれ嵌合時に外部電源部５２から表示本体部５１へ電源が供給されるように電源用接点５４、５５が設けられている。
【００３４】
また、表示本体部５１の嵌合部には更に接続ケーブル５３を使用する際の外部ＤＣ入力端子５６が設けられていて、表示本体部５１と外部電源部５２とが嵌合された際には、この外部ＤＣ入力端子５６は隠れてしまい、誤って接続ケーブル５３を接続しないように構成されている。
次に第５図及び第７図のブロック図に基づいて本実施例で実現される機能について説明する。
【００３５】
５８はコンパクトフラッシュカードやスマートメディアカードを挿入するカードリーダ部、５９はカードのイジェクタである。本実施例ではこのカードリーダ部およびカードイジェクタは一つしか示していないが、このカード挿入口は複数としたり異なるカードを同時に挿入することができるよう構成することも容易である。これにより異なるカード間でのデータの授受が可能となる。
【００３６】
６０は表示本体部５１の周辺光量を検出するための周辺光検出部で、この検出結果から画像表示部６１の発光輝度を自動的に増減し、常に最良の発光輝度となるよう制御・処理回路７０で調節している。以下の説明では特に断らない限り、各種入出力端子、設定釦、検出部出力等は全てこの制御・処理回路を経由して動作する。
【００３７】
表示部６１の発光輝度は、設定釦６２により、手動でも増減できるようになっている。これによりユーザが自分の好みの輝度に設定することができる。  この設定釦６２では、前述した発光輝度の増減の設定以外に、一定時間経過したら自動的に表示部の電源をオフするタイマの時間設定や、表示部の表示を自動的に順次更新するスライドショーの時間設定にも使用される。６３は表示本体部５１の電源をオンオフする、電源釦、６４は表示部６０に表示する画像を、単独表示にするか一覧表示にするかを交互に切り換える、単独／一覧切り換え釦である。
【００３８】
６５は不図示のリモコンからの信号を検出する、リモコン信号検出部である。
６６はカードからの再生画像表示に加えて、制御・処理回路７０に内蔵されているタイマー手段から得られるカレンダ、日時、時間等を重畳させて表示するためのカレンダ／時間選択釦である。このカレンダ／時間選択釦により選択した時間等は設定釦６２によって所定の設定を行う。以上、本発明においては、設定釦６２や単独／一覧切り換え釦等を表示本体部５１に設置して説明したが、これはもちろん不図示のリモコンを使用して設定することも可能である。
【００３９】
６７は外部からのビデオ信号入力端子、６８は外部からの音声信号入力端子である。
本表示本体部５１はこの様に、カードからの入力信号の表示だけでなく、通常のビデオ信号、音声信号に対しても対応可能となっているので、広い応用形態と良好な使い勝手を提供している。
【００４０】
また、前述したように表示本体部５１内には小型の内部電源７１が内蔵されていて、表示本体部５１単独でも上述した機能を達成することは可能となっている。
更に、外部電源５２を接続した際に内部電源７１への逆流を防止するために、逆流防止ダイオード７２が挿入されている。なお、この構成は、外部電源５２の電圧が内部電源７１より高く設定してある場合の例であって、もしも外部からの供給電圧が内部電源電圧より低くなることがある場合には、ＤＣ／ＤＣコンバータを使用する等、周知のほかの回路構成となる。
【００４１】
また、７３はカードリーダ５８にカードが挿入されたことを検出する、カード検出部である。これにより、わざわざ電源釦６３を押すことなく、カードが挿入されると直ちに表示本体部５１の電源がオンして再生画像が表示される。
次に、図８を用いて本発明の他の実施例について説明する。８１は図５で説明した表示本体部５１とほぼ同等の形状・機能を備えた表示本体部である。この表示本体部８１の下部に一例としてテレビ／ラジオチューナ部８２、プリンタ部８３、モデム部８４、電源部８５を順に重ねた形を示している。
【００４２】
これら５つの機能ブロックは重ねた際、図９の拡大図に示すように、互いに容易に固定することができるよう、正面から見て、横幅が全て等しくなっている。
この図９の拡大図を見れば分かるように、各機能ブロックの両側面前方の上下には図に示したごとく凹部を設け、固定具８６で上下のブロックの凹部を固定する構造となっている。この固定具の一端は下側の機能ブロックに固定され、ここを中心として、固定軸が取り付けてある他端が回動するしくみになっていて、この回動する側の固定軸が上側ブロックにあけてある固定軸取り付け用の穴に嵌合する。なお、固定具８６には固定の際に、上側の機能ブロックを押さえつけるようにバネ性を持たせてあると一層好ましい。
【００４３】
以上の説明から、組み立て、分解が容易に行われる構造になっているとともに、各機能ブロックの配置及び任意の機能ブロックをユーザーが自由に選択することが出来る。８６はテレビカメラ／コントローラ部であって、この出力が表示本体部８１に接続され撮影画像が表示される。８８は表示本体部８１の表示素子を反射型のＬＣＤ素子等で構成した場合で、例えば周辺光量が少ない室内においてこの表示素子を照明するための照明部である。
【００４４】
図１０を使用してこの照明部８８についての説明を次に行う。図において、９１は照明部８８を表示本体部８１に固定するとともにここを中心として回動するよう構成された固定部である。この照明部８８を不使用時は表示本体部の上方に前述の固定部９１を中心として回動させ、使用時には表示本体部８１の前方に回動させるようになっている。照明部８８を表示本体部８１の上方に収納した際には検出部９２により照明をオフさせる。更に、この固定部９１には表示本体部８１から照明部８８へ電源を供給するための端子部も含まれている。もちろん、照明部８８は不使用時には表示本体部８１から取り外しておいても良い。また、表示素子は反射型素子に限らず透過型あるいは透過・反射両用型何れのものを使用しても良い。
【００４５】
次に、図５で説明した単独表示と一覧表示の表示及び切り換えについて、図１１のフローチャートを基に説明する。まずカードが挿入されるあるいは電源釦６３がオンされることによりステップＳ５１１で表示本体部５１の電源がオンすると、ステップＳ５１２で前回最終表示画面が単独表示であったか一覧表示であったかが判別される。
【００４６】
すなわちこの説明では前回表示していた画面を電源オフ時に記憶しているものとしているが、電源オン時には常に単独表示あるいは一覧表示のいずれかに固定して設定されていてももちろん問題ない。単独表示画選択された場合には、ステップＳ５１３にて第１番目の画面が表示される。その後ステップＳ５１４で単独表示か一覧表示かが、ステップＳ５１５でスライドショーが設定されているかが判別される。ここで、単独表示が選択されたままでなおかつスライドショーが設定されていなかった場合には、ステップＳ５１６でタイマーにより電源をオフするか否かが判別される。
【００４７】
すなわち、予め決められた時間が経過しても外部からの操作がされなかったならば電源をオフするわけであるが、そこでまだタイマーの設定時間に達していなかった場合には、ステップＳ５１４に戻りタイマーが動作するまで第１番目の画面の表示を継続する。ステップＳ５１６でタイマーが終了時刻と判断したならばステップＳ５１７で電源をオフし表示を終了する。一方、ステップＳ５１５でスライドショーに設定されたことが検出されたならば、所定の表示時間経過後にステップＳ５１８で次の画面の表示を行う。そしてステップＳ５１９でこの次画面が最終画面か否かが判定され、最終画面でなかったならばステップＳ５１４に戻り、更に次の画面の表示を行う。
【００４８】
この様にしてステップＳ５１９でもし最終画面と判断されたならば、ステップＳ５２０に進み、再び第１画面から再生するように設定されているかどうかを判断する。ここでもし、単独表示の繰り返しを行わないよう設定されていたならば、ステップＳ５１７へと進み電源をオフする。もし、繰り返し画面再生を続けるように設定されていたならば、ステップＳ５２１に進み、タイマーにより電源をオフするか否かが判別される。そしてまだ表示を継続するようであったならばステップＳ５１３に戻り、第１番目の画面からの再生を再会し、再生を終了する時間であったならばステップＳ５１４で電源をオフし終了する。もしもこの単独表示を繰り返している途中で単独／一覧表示の設定が、一覧表示側に切り換えられたならば、ステップＳ５１４で判別し、ステップＳ５２２へと進み、単独表示された画面以降のＮ（Ｎは９、１２等、予め決められている一覧表示の際の表示画面数）画面が一覧表示される。
【００４９】
一方、電源オン時のステップＳ５１２で一覧表示の設定がされていた場合には、ステップＳ５３０に進み、第１番目の画面からＮ個の画面を一覧表示する。その後ステップＳ５３１で再度単独表示／一覧表示の確認を行い、もし一覧表示が選択されたままであったならばステップＳ５３２でスライドショーが設定されているか否かを確認する。ここで、スライドショーが設定されているとしたならば、ステップＳ５３３に進み、次のＮ個の画面を表示する。
【００５０】
なお、この様にＮ個ずつ区切っていくと、最終画面が含まれる一覧表示画面はＮ画面表示されない場合があるが、その場合には最終画面以降は空欄を表示する。
次のステップＳ５３４においては、この様にして表示を繰り返していって、先ほど表示したＮ個の画面の中に最終画面が含まれているか否か判別する。そしてもしこのＮ個の画面の中に最終画面が含まれていないとしたならば、ステップＳ５３１に戻り、先ほどの単独／一覧表示の確認、スライドショーの設定の確認を行い、次のＮ画面を表示するという操作を繰り返す。もしステップＳ５３４で最終画面が含まれているということが確認されたならば、次にステップＳ５３５において表示を終了するか続けるかの確認を行う。もし終了するという確認がされたならば、ステップＳ５１７で電源をオフして表示を終了する。
【００５１】
一方、表示を終了しないという確認がされたならば、次にステップＳ５３６で電源オフの設定時刻に達したか否かが判別され、設定時間が経過していたならばステップＳ５１７で電源をオフする。もし所定の時間に達していなかったならば、ステップＳ５３０に戻り、第１画面を含むＮ画面の一覧表示から再開する。ここまで述べた一覧表示のループの途中で単独／一覧表示の設定が単独表示に変更になったならば、ステップＳ５３１からステップＳ５３７へと進み、まず左上の画面を表示する。それ以降はステップＳ５１４へと進み、単独表示のステップに従って表示を行う。また、一覧表示の途中でスライドショーをストップするように変更されたならば、ステップＳ５３２からステップＳ５３８へと進み、現在表示されているＮ画面の表示を継続し所定時間経過した後ステップＳ５１７にて電源をオフして表示を終了する。
【図面の簡単な説明】
【図１】本発明による電子写真立ての一実施形態の内部配置の説明図である。
【図２】図１の発明の、実際の使用形態例である。
【図３】本発明による電子写真立ての他の実施例である。
【図４】本発明による電子写真立ての他の実施例である。
【図５】本発明による電子写真立ての他の実施例である。
【図６】図５の発明の実際の使用形態例である。
【図７】図５の発明の電子写真立ての概略ブロック図である。
【図８】本発明による電子写真立てシステムの一実施例である。
【図９】図８の一部拡大図である。
【図１０】本発明による電子写真立ての照明部の説明図である。
【図１１】本発明による電子写真立ての単独表示／一覧表示の説明用フロ−チャートである。
【符号の説明】
１  電子写真立て
２  表示部
３  カードリーダ部
４  電源部
５  メモリカード
２１  電源釦
２２  変更釦
３１、４１  切欠部
５１  表示本体部
５２  外部電源部
５３  接続ケーブル
５４、５５  電源用接点
５６  外部ＤＣ入力端子
５７  ＤＣ出力端子
５８  カードリーダ部
５９  イジェクタ
６０  周辺光検出部
６１  表示部
６２  設定釦
６３  電源釦
６４  単独／一覧切換釦
６５  リモコン検出部
６６  カレンダ／時間選択釦
６７  ビデオ入力端子
６８  音声入力端子
６９  スピーカ
７０  制御・処理回路
７１  内部電源
７２  逆流防止ダイオード
７３  カード検出部
８１  表示本体部
８２  テレビ／ラジオチューナ部
８３  プリンタ部
８４  モデム部
８５  電源部
８６  固定具
８７  位置決め用凹凸部
８８  ＴＶカメラ／コントローラ部
８９  照明部
９１  固定部
９２  検出部
【図１】
0004348779.tif 000002
【図２】
0004348779.tif 000003
【図３】
0004348779.tif 000004
【図４】
0004348779.tif 000005
【図５】
0004348779.tif 000006
【図６】
0004348779.tif 000007
【図７】
0004348779.tif 000008
【図８】
0004348779.tif 000009
【図９】
0004348779.tif 000010
【図１０】
0004348779.tif 000011
【図１１】
0004348779.tif 000012